(57)【特許請求の範囲】
【請求項１】
互いに対向するフィルム間に複数の断熱材が個別に真空状態で封止された断熱シートと、
建物の外壁用面材に固定され前記断熱シートが取り付けられる被取付部材と、を備え、
前記被取付部材には、前記断熱シートにおいて前記断熱材を封止する封止部の少なくとも一部が取り付けられ、
前記封止部には、前記フィルムを貫通し通気可能な透孔が形成され、
前記断熱シートは、外壁用面材の屋内側に配設されるとともに、前記封止部に沿って前記断熱材が切除されることにより、室内設備装置が挿入される開口が形成され、
前記断熱シートの前記室内設備装置の位置に対応する領域では、他の領域における前記断熱材の面積よりも小さい面積の前記断熱材が複数隣接配置されている
ことを特徴とする建物の外壁構造。
【請求項２】
請求項１に記載の建物の外壁構造において、
前記複数の断熱材は、前記断熱シートの平面方向において縦方向および横方向にそれぞれ配列され、
前記封止部は、互いに隣り合う前記断熱材の間に沿って略格子状に形成されている
ことを特徴とする建物の外壁構造。
【請求項３】
請求項２に記載の建物の外壁構造において、
前記被取付部材は、胴縁とされている
ことを特徴とする建物の外壁構造。
【請求項４】
芯材と、この芯材を挟んで両側に設けられる面材と、を備える建物の外壁パネルであって、
互いに対向するフィルム間に複数の断熱材が個別に真空状態で封止された断熱シートを備え、
前記断熱シートにおいて前記断熱材を封止する封止部の少なくとも一部が、前記面材の内側で前記芯材に取り付けられ、
前記封止部には、前記フィルムを貫通し通気可能な透孔が形成されている
ことを特徴とする建物の外壁パネル。
【請求項５】
請求項４に記載された建物の外壁パネルにおいて、
前記断熱シートの前記断熱材の部分は、前記面材の内面に沿い、
前記封止部は、前記断熱材の部分に対して折り曲げられて前記芯材に取り付けられている
ことを特徴とする建物の外壁パネル。
【発明の詳細な説明】
【技術分野】
【０００１】
本発明は、真空断熱シートを備える建物の外壁構造および外壁パネルに関する。
【背景技術】
【０００２】
従来、グラスウールなどの断熱コア材を２枚の金属製フィルムの間に真空状態で封止密閉して形成される真空断熱シートが知られ、このような真空断熱シートの使用例として、冷蔵庫の外部筐体と内部筐体との間に配設することが知られている（特許文献１）。この真空断熱シートは、冷蔵庫の外部筐体または内部筐体に直接接着して取り付けられている。
また、真空断熱シートには、縦横に配列される複数の断熱コア材がそれぞれ独立空間に封止されたものも知られている（特許文献２）。
【０００３】
【特許文献１】特開２００５−１４０４０７号公報
【特許文献２】特開２００６−１７０３０３号公報
【発明の開示】
【発明が解決しようとする課題】
【０００４】
上述の真空断熱シートは、建物の外壁構造にも適用可能と考えられるが、当該断熱シートの外壁構造への取付は容易でない。例えば、真空断熱シートを釘などで取り付けた場合、シートに孔があき真空状態を確保できなくなるため、断熱性能が低下してしまう。かといって、外壁パネルなどに接着で取り付けるのは特許文献１のように冷蔵庫の筐体に取り付ける場合とは事情が異なり、作業性の面などできびしい。
【０００５】
本発明の目的は、断熱シートを取り付ける手段を問わず、断熱シートの断熱性能を確保して作業性良好に取付できる建物の外壁構造および外壁パネルを提供することにある。
【課題を解決するための手段】
【０００６】
本発明の建物の外壁構造（１，３）は、互いに対向するフィルム（１４２，１４３）間に複数の断熱材（１４１，１５１）が個別に真空状態で封止された断熱シート（１４，１５）と、建物の外壁用面材（１０）に固定され前記断熱シート（１４，１５）が取り付けられる被取付部材（１１，１６）と、を備え、前記被取付部材（１１，１６）には、前記断熱シート（１４，１５）において前記断熱材（１４１，１５１）を封止する封止部（１４４，１５４）の少なくとも一部が取り付けられ、前記封止部（１４４）には、前記フィルム（１４２，１４３）を貫通し通気可能な透孔（１４４Ａ）が形成され、前記断熱シート（１５）は、外壁用面材（１０）の屋内側に配設されるとともに、前記封止部（１４４，１５４）に沿って 前記断熱材（１４１，１５１）が切除されることにより、室内設備装置（４２）が挿入される開口（１５５）が形成され、前記断熱シート（１５）の前記室内設備装置（４２）の位置に対応する領域では、他の領域における前記断熱材（１４１）の面積よりも小さい面積の前記断熱材（１５１）が複数隣接配置されていることを特徴とする。
【０００７】
この発明では断熱シート（１４，１５）の各断熱材（１４１，１５１）の周りには封止部（１４４，１５４）が形成されていることを利用しており、封止部（１４４，１５４）を被取付部材（１１，１６）に取り付けることによって、たとえ釘等がシートを貫通しても、フィルム（１４２，１４３）間の真空状態が損なわれない。釘打ちに限らず、金具留めや接着などの任意の取付手段によってこの封止部（１４４，１５４）を被取付部材（１１，１６）に取付できる。
つまり、断熱シート（１４，１５）を取り付ける手段は問わず、釘打ちなどの作業性良好な取付手段などによって断熱シート（１４，１５）を容易に取付でき、取り付ける際に封止部（１４４，１５４）のフィルム（１４２，１４３）が傷ついたり孔が明いても断熱性能を確保できる。
なお、複数の断熱シート（１４，１５）から大面積の断熱シート（１４，１５）を形成できるので、広い外壁用面材（１０）の略全体に亘って断熱シート（１４，１５）を設けることができる。
しかも、この発明によれば、断熱シート（１４）の透孔（１４４Ａ）を通じて、屋内の湿気を屋外に放出することが可能となる。これにより、断熱シート（１４）における断熱性と通気性とを両立できる。
また、封止部（１４４）が格子状に形成された構成においては、封止部（１４４）に沿って断熱シート（１４）の略全体に亘り複数の透孔（１４４Ａ）を形成することが可能となり、これによってムラ無く調湿できる。
なお、防水透湿シート（１３）など、屋内側から屋外側へと湿気を透過可能な部材を断熱シート（１４）の屋内側に設けることがより好ましい。
その上、断熱シート（１４，１５）を外壁用面材（１０）の屋内側に配設するにあたり、同じく外壁用面材（１０）の屋内側に配設され室内空間に露出するスイッチやコンセント等の室内設備装置（４２）が挿入される開口（１５５）が断熱シート（１４，１５）に形成されるので、施工性が向上する。この開口（１５５）は、封止部（１４４，１５４）に沿って断熱材（１４１，１５１）が切除されることで形成されるため、真空断熱性が確保される。
しかも、小さい面積の複数の断熱材（１５１）のうち室内設備装置（４２）の形状や寸法に応じて選択したものを切除するので、同じ面積の断熱材（１４１）のみが配列されている場合と比べて断熱シート（１５）における開口（１５５）の面積を小さくすることが可能となる。すなわち、室内設備装置（４２）を設けることによって断熱材が欠損する部分の面積を最小限にできるので、断熱性能の低下を防止できる。ここで、小さい面積の断熱材（１５１）が縦方向および横方向にそれぞれ複数配置されていれば、室内設備装置（４２）の形状寸法に開口（１５５）の形状寸法をより良好に適合させて断熱材の欠損部分をより小さくできる。
【０００８】
本発明の建物の外壁構造（１，３）では、前記複数の断熱材（１４１，１５１）は、前記断熱シート（１４，１５）の平面方向において縦方向および横方向にそれぞれ配列され、前記封止部（１４４，１５４）は、互いに隣り合う前記断熱材（１４１，１５１）の間に沿って略格子状に形成されていることが好ましい。
【０００９】
この発明によれば、略格子状の封止部（１４４，１５４）に略直線状の被取付部材（１１，１６）を沿わせて、封止部（１４４，１５４）を被取付部材（１１，１６）に容易に取付できる。封止部（１４４，１５４）が取り付けられる被取付部材（１１，１６）は、縦方向に延びていても横方向に延びていても良い。
なお、被取付部材（１１，１６）の位置に応じて、略格子状とされた封止部（１４４，１５４）の任意の位置を取り付けることができる。
【００１０】
本発明の建物の外壁構造（１，３）では、前記被取付部材（１１，１６）は、胴縁（１１）とされていることが好ましい。
この発明によれば、屋外側に面するサイディング材（１２）や、屋内側に面するボード（４３）などが取り付けられる胴縁（１１，１６）を受け材として断熱シート（１４，１５）を容易にかつ強固に取り付けることができる。
【００１７】
本発明の建物の外壁パネル（５０）は、芯材（１０１）と、この芯材（１０１）を挟んで両側に設けられる面材（１０２，１０３）と、を備える建物の外壁パネル（５０）であって、互いに対向するフィルム（１４２，１４３）間に複数の断熱材（１４１，１５１）が個別に真空状態で封止された断熱シート（１４，１５）を備え、前記断熱シート（１４，１５）において前記断熱材（１４１，１５１）を封止する封止部（１４４，１５４）の少なくとも一部が、前記面材（１０２，１０３）の内側で前記芯材（１０１）に取り付けられ、前記封止部（１４４）には、前記フィルム（１４２，１４３）を貫通し通気可能な透孔（１４４Ａ）が形成されていることを特徴とする。
【００１８】
この発明によれば、封止部（１４４，１５４）を利用して断熱シート（１４，１５）を外壁パネル（５０）に取り付けることにより、前述の外壁構造（１，３）の発明と略同様の作用効果を奏する。
そのうえ、断熱シート（１４，１５）は面材（１０２，１０３）の内側に取り付けられるので、外壁パネル（５０）の取扱いを容易にできる。
しかも、この発明によれば、屋外側に配設された断熱シート（１４）の透孔（１４４Ａ）を通じて、屋内の湿気を屋外に放出することが可能となる。これにより、断熱シート（１４）における断熱性と通気性とを両立できる。
また、封止部（１４４）が格子状に形成された構成においては、封止部（１４４）に沿って断熱シート（１４）の略全体に亘り複数の透孔（１４４Ａ）を形成することが可能となり、これによってムラ無く調湿できる。
【００１９】
本発明の外壁パネル（５０）では、前記断熱シート（１４，１５）の前記断熱材（１４１，１５１）の部分は、前記面材（１０２，１０３）の内面に沿い、前記封止部（１４４，１５４）は、前記断熱材（１４１，１５１）の部分に対して折り曲げられて前記芯材（１０１）に取り付けられていることが好ましい。
【００２０】
この発明によれば、断熱シート（１４，１５）が内部に取り付けられた外壁パネル（５０）を容易に製作できる。
なお、外壁パネル外周部の例えば矩形状の外枠芯材に他の芯材が架設されている場合、この架設された芯材の長手方向に沿った両側面にそれぞれ断熱シートを取り付けることができる。
【発明の効果】
【００２１】
以上の本発明によれば、断熱シートを外壁用面材や外壁パネルに取り付ける手段を問わず、断熱シートの断熱性能を確保して作業性良好に取付できる。
【発明を実施するための最良の形態】
【００２２】
〔第１実施形態〕
以下、本発明の第１実施形態を図１〜図４を参照して説明する。なお、第２実施形態以降の説明に関し、第１実施形態と同様の構成については、同一符号を付して、説明を省略もしくは簡略化する。
【００２３】
図１は、本実施形態における建物の外壁構造１の一部切欠斜視図である。
外壁構造１は、下梁２１に設けられた外壁用面材としての外壁パネル１０および胴縁１１を有して構成されている。胴縁１１には、サイディング材１２が釘で取り付けられている。なお、図１中、２２は基礎、２３は下梁２１に設けられた床パネル、２４は水切りである。
【００２４】
外壁パネル１０は、格子状に組まれた芯材１０１を面材１０２，１０３で挟んで構成され、パネル内部にはグラスウール１０４が設けられている。
また、外壁パネル１０の屋外側の面材１０２の表面には、防水透湿シート１３および断熱シート１４が設けられ、これら防水透湿シート１３および断熱シート１４は、胴縁１１に釘で取り付けられている。防水透湿シート１３は屋内側から屋外側へと通気可能となっている。
【００２５】
図２は、断熱シート１４の平面図であり、図３は断熱シート１４の断面図である。断熱シート１４は、グラスウールなどの複数の断熱材１４１を２枚の金属製フィルム１４２，１４３の間に真空引きしてそれぞれ個別に封止密閉して形成されている。
【００２６】
断熱材１４１は、図２に示すように平面視四角形状とされ、断熱シート１４の縦方向および横方向にそれぞれ所定間隔をおいて配列されている。また、図３に示すように断熱材１４１の平面と側面とがなす角部は面取りされている。この断熱材１４１はフィルム１４２，１４３間に真空状態で封止されるので、従来の断熱部材と比べ薄くても高い断熱性を実現できる。断熱材１４１がこのように薄く形成されるため室内空間を広くできる。
【００２７】
フィルム１４２，１４３が各断熱材１４１の周りに沿って熱溶着で封止されることにより、縦方向および横方向に沿った格子状の封止部１４４が形成されている。
封止部１４４には、フィルム１４２，１４３を貫通し通気可能な複数の透孔１４４Ａが略等間隔に形成されている。防水透湿シート１３の屋外側に透過した湿気はこの透孔１４４Ａを通過して外気に放出される。
【００２８】
図４は、断熱シート１４が取り付けられた状態を示す外壁構造１の縦断面図である。
本実施形態では、外壁パネル１０の略全体を覆うように複数の断熱シート１４を配置している。
ここで、断熱シート１４の封止部１４４の位置で、胴縁１１が外壁パネル１０の屋外側の面材１０２に釘１１１で取り付けられている。すなわち、胴縁１１に封止部１４４が取り付けられることで断熱シート１４が外壁パネル１０に取り付けられており、断熱材１４１には釘打ちされていない。これにより、フィルム１４２，１４３間の真空状態が維持される。
なお、本実施形態では透孔１４４Ａに釘１１１を挿通しているが、封止部１４４の透孔１４４Ａ以外の部分に釘１１１を挿通してもよい。
【００２９】
図１に示すように胴縁１１は複数平行に設けられており、上二つには、隣り合う断熱材１４１同士の間の封止部１４４が取り付けられ、下の一つには、断熱シート１４端部の封止部１４４が取り付けられている。
【００３０】
以上の本実施形態によれば、次のような効果が得られる。
（１）建物の外壁構造１において封止部１４４が胴縁１１に取り付けられるので、フィルム１４２，１４３間の真空状態を損なうことなく、釘１１１によって断熱シート１４を容易に取付できる。釘１１１が打たれるのはフィルム１４２，１４３が溶着された封止部１４４であるから、フィルム１４２，１４３に釘孔が明いても問題なく断熱性能を確保できる。
【００３１】
（２）封止部１４４が格子状に形成されているので、封止部１４４の任意の位置に直線状の胴縁１１を沿わせ、封止部１４４を胴縁１１に容易に取付できる。
【００３２】
（３）また、サイディング材１２が取り付けられる胴縁１１が断熱シート１４の被取付部材として兼用されるため、断熱シート１４を容易にかつ強固に取り付けることができる。
【００３３】
（４）断熱シート１４が外壁パネル１０の屋外側に配設され、封止部１４４には透孔１４４Ａが形成されていることにより、防水透湿シート１３の屋外側に透過した湿気を透孔１４４Ａを通じて屋外に放出することが可能となる。これにより、断熱シート１４における断熱性と通気性とを両立できる。
また、格子状に形成された封止部１４４に沿って断熱シート１４の略全体に亘り複数の透孔１４４Ａが形成されているので、ムラ無く調湿できる。
【００３４】
〔第２実施形態〕
次に、本発明の第２実施形態について図５および図６を参照して説明する。第１実施形態で断熱シート１４が配設されるのは外壁パネル１０の屋外側であったが、本実施形態で断熱シートが配設されるのは外壁パネル１０の屋内側である。
【００３５】
図５は、本実施形態の建物の外壁構造３の縦断面図である。外壁パネル１０の屋外側の面材１０２とグラスウール１０４との間には、室内設備の配線４１が設けられ、グラスウール１０４および屋内側の面材１０３に貫通形成された開口１０５に室内設備装置としてのスイッチボックス４２が挿入されている。なお、断熱シート１５、石膏ボード４３、およびクロス４４のそれぞれにも、スイッチボックス４２が挿入される開口が形成されている。
【００３６】
図示しないが、スイッチボックス４２と同じく室内設備装置としてのコンセントボックスが配設される場合もあり、この場合、コンセントボックスが配設される位置に応じた開口がグラスウール１０４，面材１０３、断熱シート１５、石膏ボード４３、およびクロス４４のそれぞれに形成される。
【００３７】
図６は、本実施形態における断熱シート１５の平面図である。断熱シート１５は、第１実施形態の断熱シート１４と同様に、フィルム間に複数の断熱材を個別に真空状態で封止して形成されているが、断熱シート１５は、断熱材１４１に加え、この断熱材１４１よりも面積が小さい複数の断熱材１５１とを有している。
なお、断熱シート１５の封止部１４４において他の部分よりも幅広の部分はそれぞれ、胴縁１６に釘で取り付けられる。釘は、胴縁１６および断熱シート１５を貫通して屋内側の面材１０３（図５）に打ち付けられる。
【００３８】
各断熱材１５１は、スイッチボックス４２やコンセントボックスが配設される位置に応じて縦方向および横方向に配列され、封止部１４４と繋がる封止部１５４によって断熱材１４１よりも細かく封止されている。本実施形態では、図６中、断熱シート１５の高さ位置略中央の領域Ｓに配列された断熱材１５１はスイッチ用であり、それよりも下方の領域Ｃに配列された断熱材１５１はコンセント用とされている。
【００３９】
ここで、スイッチボックス４２等の位置および形状寸法に応じて、領域Ｓの断熱材１５１が周りの封止部１５４に沿って切除され開口１５５が形成される。この開口１５５にスイッチボックス４２が挿入される。
なお、スイッチボックス４２以外のスイッチボックスや、コンセントボックスが配設される場合など、設計プランに応じて同様の開口が形成され、室内設備装置の位置や寸法形状によっては、断熱材１４１を封止部１４４に沿って切除して開口を形成してもよい。
【００４０】
本実施形態によれば、前述の（１）〜（３）に加えて次のような効果が得られる。
（５）外壁パネル１０の屋内側に配設される断熱シート１５にスイッチボックス４２等のための開口１５５が形成されることにより、施工性が向上する。この開口１５５は、封止部１５４に沿って断熱材１５１が切除されることで形成されるため、断熱シート１５の真空断熱性を確保できる。
【００４１】
（６）縦方向および横方向に複数配列された小さい面積の断熱材１５４のうちスイッチボックス４２等の形状や寸法に応じて選択したものを切除するので、同じ面積の断熱材１４４のみが配列されている場合と比べて断熱シート１５における開口１５５の面積を小さくすることが可能となる。すなわち、スイッチボックス４２等を設けることによって断熱材１５４が欠損する部分の面積を最小限にできるので、断熱性能の低下を防止できる。
【００４２】
〔第３実施形態〕
次に、本発明の第３実施形態について図７および図８を参照して説明する。第１、第２実施形態とは異なり、本実施形態では外壁パネルの内部に断熱シートを配設する。
【００４３】
図７は、本実施形態の外壁パネル５０の内部を示す分解斜視図であり、図８は、外壁パネル５０の横断面図である。
外壁パネル５０は、格子状に組まれた芯材１０１の両側を面材１０２，１０３で挟んで構成されており、内部には、断熱シート１４が配設されている。
図７では断熱シート１４の透孔１４４Ａ（図２）の図示を省略した。なお、透孔１４４Ａが形成された断熱シート１４に限らず、透孔１４４Ａのない断熱シート１５（図６）などを本実施形態と同じ態様で外壁パネル５０の内部に配設することも可能である。
【００４４】
図８に示すように、断熱シート１４の断熱材１４１が設けられた部分は面材１０２の内面に沿い、断熱シート１４端部の封止部１４４は、断熱材１４１の部分に対して折り曲げられて芯材１０１の側面に釘で取り付けられている。
なお、図７では、断熱シート１４左右端部の封止部１４４のみが芯材１０１に取り付けられているが、封止部１４４は格子状に形成され縦横二方向に沿って折り曲げできるので、断熱シート１４の上下端部の封止部１４４を横方向に沿って折り曲げて芯材１０１に取り付けることもできる。
【００４５】
このように、本実施形態では芯材１０１に封止部１４４が取り付けられ、前記各実施形態では胴縁１１に封止部１４４が取り付けられているが、外壁用面材に固定される被取付部材に封止部１４４が取り付けられる点で両者は同様である。
【００４６】
本実施形態によれば、前述の（１）〜（３）と略同様の効果に加え、次のような効果が得られる。
（７）外壁パネル５０への断熱シート１４の取付にあたり、断熱材１４１を面材１０２に沿わせ、封止部１４４を折り曲げて芯材１０１に取り付けているので、外壁パネル５０を容易に製作できるとともに、断熱シート１４が面材１０２の内側に配設されることで外壁パネル５０の取扱いを容易にできる。
【００４７】
以上、本発明を実施するための最良の構成について具体的に説明したが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形および改良を加えることができるものである。
上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００４８】
本発明は、建物の外壁構造以外に、例えば室内の壁体や、建物の屋根、床、などの構造体に真空断熱シートを配設する際にも利用できる。
【図面の簡単な説明】
【００４９】
【図１】本発明の第１実施形態における建物の外壁構造の斜視図。
【図２】第１実施形態の断熱シートの平面図。
【図３】図２の断熱シートの断面図。
【図４】第１実施形態における建物の外壁構造の縦断面図。
【図５】本発明の第２実施形態における建物の外壁構造の縦断面図。
【図６】第２実施形態の断熱シートの平面図。
【図７】本発明の第３実施形態における外壁パネルの分解斜視図。
【図８】図７の外壁パネルの横断面図。
【符号の説明】
【００５０】
１              外壁構造
３              外壁構造
１０            外壁パネル
１１            胴縁
１４            断熱シート
１５            断熱シート
１６            胴縁
４２            スイッチボックス（室内設備備品）
５０            外壁パネル
１０１          芯材
１０２，１０３  面材
１４１          断熱材
１４２，１４３  フィルム
１４４          封止部
１４４Ａ        透孔
１５１          断熱材
１５４          封止部
１５５          開口
Ｓ，Ｃ          領域
【図１】
0005523653.tif 000002
【図２】
0005523653.tif 000003
【図３】
0005523653.tif 000004
【図４】
0005523653.tif 000005
【図５】
0005523653.tif 000006
【図６】
0005523653.tif 000007
【図７】
0005523653.tif 000008
【図８】
0005523653.tif 000009